(57)【要約】      （修正有）【課題】画面切替に対し火災発生情報の画面を最も優先して火災状況を迅速かつ適切に把握できるようにする。【解決手段】監視区域に設置した火災感知器により火災を監視し、同じ液晶表示部に火災画面６０とそれ以外の表示画面６１、６２、６３を切替えて表示する防災監視盤であって、画面切替スイッチの操作に基づいて液晶表示部の表示画面を切替え、火災画面６０以外の表示画面６１、６２、６３の表示中に、火災画面確認スイッチ７０を操作した場合に火災画面６０に切り替えて表示する。【選択図】図８
2011008808.tif 000002
【特許請求の範囲】
【請求項１】
監視区域に設置した火災感知器により火災を監視し、同じ画面表示部に火災発生時の発生地区名称などを表示する火災画面とそれ以外の情報を表示する画面を切替えて表示する防災監視盤において、
所定の第１スイッチの操作に基づいて前記表示部の表示画面を切替え、前記火災画面以外の表示画面の表示中に、所定の第２スイッチを操作した場合に前記火災画面に切り替えて表示する切替制御部を設けたことを特徴とする防災監視盤。
【発明の詳細な説明】
【技術分野】
【０００１】
本発明は、液晶表示部を使用して火災表示画面や障害表示画面などを切替え表示する防災監視盤に関する。
【背景技術】
【０００２】
従来、集合住宅の各住戸と共用部の火災を監視する火災報知設備の防災監視盤にあっては、防災監視盤に数行程度の文字表示ができる小型の液晶表示器と、例えば６桁程度の数値を表示できる７セグメント表示器を設け、最初に火災が発生した地区及び２番目に火災が発生した地区のアドレス番号を７セグメント表示器に表示し、同時に液晶表示器に火災発生地区の名称を表示している。
【０００３】
また、液晶表示器には火災警報画面だけでなく、システム障害などの障害警報画面など、各種の警報表示、情報表示や設定表示画面が任意に切替えて表示することができる。
【先行技術文献】
【特許文献】
【０００４】
【特許文献１】特開平１−１４０２９９号公報
【特許文献２】特開平１０−２１４３９０号公報
【特許文献３】特開平１１−１６１８７０号公報
【発明の概要】
【発明が解決しようとする課題】
【０００５】
しかしながら、このような従来の防災監視盤における火災情報の表示にあっては、火災発生後にも盤上に設けた切替スイッチの操作によって液晶表示器の火災画面を、それ以外の情報が表示される画面に切り替えることが出来るため、火災発生時に誤って、もしくは故意に画面を切り替えてしまった場合、火災画面を再度確認するためには、画面切替操作を行わなければならず、緊急時には火災発生地区の確認や認識に支障を与える。また７セグメント表示器には、火災発生アドレスを表示しているだけであるので、火災発生地区を即座には認識できない問題があった。
【０００６】
また近年における液晶表示器の低価格化に伴い１０行を超える比較的サイズの大きな液晶表示器が従来と同じ価格で入手できるようになり、このため７セグメント表示器を廃止し、全て液晶表示器で表示させるようにしたものも考えられている。
【０００７】
このように、７セグメント表示器を廃止して全ての情報を液晶表示器に表示した場合には、火災警報表示中に画面を他の情報画面に切り替えると、火災情報が全く見えなくなるため、緊急時に火災発生地区の確認や認識に大きな支障を与える。
【０００８】
本発明は、画面切替に対し火災画面を最優先にして火災状況を迅速かつ適切に把握できるようにする防災監視盤を提供することを目的とする。
【課題を解決するための手段】
【０００９】
この目的を達成するため本発明は次のように構成する。本発明は、監視区域に設置した火災感知器により火災を監視し、同じ画面表示部に火災発生時の発生地区名称などを表示する火災画面とそれ以外の情報法を表示する画面を切替えて表示する防災監視盤において、所定の第１スイッチの操作に基づいて表示部の表示画面を切替え、火災画面以外の表示画面の表示中に、所定の第２スイッチを操作した場合に火災画面に切り替えて表示する切替制御部を設けたことを特徴とする。
【００１０】
このため火災発生時に他の表示画面に切り替わっていても、第２スイッチとして設けた例えば火災画面確認スイッチを押している間は火災画面が表示され、どのような表示画面に切り替わっていても即座に火災画面に戻って火災状況を把握できる。
【発明の効果】
【００１１】
以上説明してきたように本発明によれば、火災発生により火災画面が裏画面として存在して他の表示画面に切り替わっているときには、火災画面確認スイッチなどの特定のスイッチ操作により、火災画面に切り替えて表示させることで、火災画面に対し裏画面への切替えを許容すると同時に即時に火災画面に戻って火災状況の確認と把握を行うことができる。
【図面の簡単な説明】
【００１２】
【図１】本発明で使用される防災受信盤の説明図
【図２】図１の防災受信盤の表示操作部を拡大した説明図
【図３】図１の防災受信盤の内部に設けたメンテナンススイッチの説明図
【図４】本発明の防災監視設備の全体構成を示したブロック図
【図５】本発明の防災受信盤における火災発生時の火災画面の表示と裏画面への切替禁止の説明図
【図６】本発明の防災受信盤でメンテナンスモードを設定した際の画面切替えの説明図
【図７】本発明による画面切替処理のフローチャート
【図８】本発明の他の実施形態による画面切替処理の説明図
【発明を実施するための形態】
【００１３】
図１は本発明による防災監視盤の説明図である。図１において、防災監視盤１は、集合住宅の管理人室などに設置されており、盤正面に火災発報代表灯や火災監視機能に関する表示操作部を有する火災監視部２と、共同玄関の集合玄関機や各住戸のインターホン設備と通話が可能なインターホン親機３を設けている。火災監視部２には液晶表示部４が設けられている。
【００１４】
図２は図１の防災監視盤１における火災監視部２を拡大して示している。火災監視部２に設けている液晶表示部４は、例えば全角文字で１行２０文字を１３行で表示できるサイズを持っている。このように十分なサイズの液晶表示部４を使用することで、火災発生時における第１報、第２報、第３報というように複数の火災受信状態を表示でき、併せて火災発生場所の地区名称の表示や火災発生に対する対処などのメッセージを表示することもできる。
【００１５】
液晶表示部４の右側には画面切替スイッチ５が設けられる。液晶表示部４に任意の画面が表示された状態で画面切替スイッチ５を押すと、予め定めた画面種類の順番に画面の切替表示が行われる。
【００１６】
この実施形態にあっては、画面切替スイッチ５の上側に示す発報表示灯５４、住戸警報表示灯５５、盤障害表示灯５６及び回線障害表示灯５７のそれぞれに対応して、火災画面、住戸警報画面、盤障害画面、回線障害画面を表示することができる。
【００１７】
なお、火災画面は火災信号を受信して火災を判定したときに、その発生場所などを表示する画面で、住戸警報画面は住戸用火災受信機からガス漏れなどの警報を受信した場合の警報表示画面である。また、盤障害画面は、防災監視盤１内部の回路などの障害が発生した場合の障害警報画面で、回線障害画面はシステム全体における伝送障害などの障害を表示する障害表示画面である。また、各表示灯５４〜５７により現在液晶表示部４に表示されている画面種別に合わせて点灯して種別を識別できるようにしている。
【００１８】
この４つの表示灯は液晶表示部４に対応する画面が表示されると点灯し、液晶表示部４に表示されずに、画面情報が存在している場合にはいわゆる裏画面の存在を示すために点滅するようになる。
【００１９】
画面切替スイッチ５の右側にはシフトスイッチ６が設けられ、その左側にオーバーフロー灯６ａを設けている。オーバーフロー灯６ａは、例えば火災画面を液晶表示部４に表示している状態で火災発報が複数あって１画面中に表示可能な警報表示数以上となり、火災警報表示が画面からオーバフローしている場合に点灯し、画面に表示しきれないことを知らせる。
【００２０】
このためオーバーフロー灯６ａが点灯している場合にはシフトスイッチ６を押すことで、液晶表示部４の画面上に発報情報などをシフト表示させることができる。このオーバーフロー灯６ａは、切替表示されている画面表示にあわせて必要に応じて点灯する。
【００２１】
更に画面切替スイッチ５の下側の表示灯の中にスイッチ注意灯７が設けられており、このスイッチ注意灯７は後の説明で明らかにする防災監視盤１の内部に設けているメンテナンススイッチの操作でメンテナンスモードを設定した際に点滅する。また、この他、音響停止など通常監視で行わない設定がされている場合などに点滅して注意を促している。
【００２２】
このメンテナンスモードにおけるスイッチ注意灯７の点滅周期は、例えばその下側に設けている地区音響一時停止のためのスイッチや音響停止のためのスイッチを押した場合の点滅周期に比べ、より速い周期で点滅させるようにしてメンテナンスモードの設定を他のスイッチ操作から区別している。
【００２３】
本発明の防災監視盤１にあっては、火災発生時に液晶表示部４に火災画面を表示しているときには画面切替スイッチ５を操作しても他の裏画面に切り替わることがなく、火災画面が最優先で表示されている。
【００２４】
このような火災画面を最優先で表示して他の裏画面への切替えを禁止する機能は、図３に示す防災監視盤１の内部に設けているメンテナンスモードスイッチ８の操作によるメンテナンスモードの設定で解除することができる。防災監視盤１の内部に設けたメンテナンスモードスイッチ８に対応して、メンテナンスモード灯９が設けられており、メンテナンスモードスイッチ８を操作してメンテナンスモードが設定されると、メンテナンスモード灯９が点滅する。
【００２５】
このメンテナンスモードスイッチ８によるメンテナンスモードの設定状態にあっては、液晶表示部４に火災画面が表示されていても、画面切替スイッチ５の操作により他の障害表示画面などの裏画面に切り替えることができる。
【００２６】
図４は本発明の火災報知設備の実施形態を示したブロック図である。図４において、防災監視盤１からは、各住戸側に対し伝送線２８と通話線２９が引き出され、この伝送線２８と通話線２９に対し住戸用火災受信機１０が各住戸ごとに接続されている。
【００２７】
住戸用火災受信機１０は住戸用制御部１１を備え、住戸用制御部１１は、制御部１２、防災監視盤１との火災情報や通話制御情報などの伝送のやり取りを行う伝送回路１３、インターホンなどの音声をやり取りするための通話回路１４、火災警報などの音声を出力する音声合成部１５から構成されている。
【００２８】
また住戸用制御部１１に対しては、火災表示灯２１、集合玄関機３８や防災監視盤１などと通話を行うインターホン機能のハンドセット２２、トランジスタ２３により作動されるリレー２４、音声合成部１５からの音声信号を増幅するパワーアンプ２５と住戸用スピーカ２６が設けられている。
【００２９】
感知器回線１８には住戸内の火災を監視する住戸用火災感知器２０が接続され、また終端には終端抵抗が接続されている。住戸用制御部１１の構成の一部又は全部はＭＰＵ（マイクロプロセッサユニット）の制御機能で実現することができる。
【００３０】
更に住戸用火災受信機１０に対しては、住戸玄関口などに設置されたドアホン２７が接続されている。このドアホン２７には火災時に火災警報表示を行う戸外表示器２７ａが設置されている。
【００３１】
ここで防災監視盤１と住戸用火災受信機１０との間の伝送線２８による伝送は、住戸用火災受信機１０側に固有のアドレスを設定し、防災監視盤１からのアドレスの指定による住戸用火災受信機１０の呼出しで信号を伝送するいわゆるＲ型伝送方式を採用している。住戸用火災受信機１０へのアドレスの設定は、ディップスイッチ等で構成されるアドレス設定部１６で行われる。
【００３２】
また住戸用制御部１１の制御出力によりオン、オフされるトランジスタ２３の負荷となるリレー２４とその切替リレー接点２４ａ，２４ｂにより、通話線２９に対する切替回路が構成される。リレー２４の切替リレー接点２４ａは、通常監視状態では通話線２９を通話回路１４に接続し、防災監視盤からのインターホン親機と住戸用火災受信機１０に設けているハンドセット２２との間での通話ができるようにしている。
【００３３】
また切替リレー接点２４ｂは、図示のように通常監視状態では音声合成部１５に閉じており、インターホンの呼出音や住戸用火災受信機１０で火災感知器２０からの発報信号により火災監視部１７が火災を検知した際に住戸内に音声警報を出すようにしている。
【００３４】
リレー２４は、防災監視盤１から火災判断に基づく近隣火災警報や全館一斉鳴動のための音声警報出力制御信号を伝送回路１３を介して制御部１２で受けた際に、制御部１２によるトランジスタ２３のオンにより駆動され、切替リレー接点２４ａ，２４ｂを破線のようにバイパス線２９ａに切り替え、防災監視盤１からの通話線２９による近隣火災警報や全館一斉鳴動のための音声メッセージ信号を直接パワーアンプ２５に加え、住戸用スピーカ２６から近隣火警報や全館一斉鳴動の音声メッセージを出力できるようにしている。
【００３５】
防災監視盤１はＭＰＵを用いた主制御部３０を備える。主制御部３０にはプログラムの実行で実現される火災を監視制御するための主制御部３１と液晶表示部４の表示画面を切替制御するための切替制御部３２が設けられる。
【００３６】
切替制御部３２は、操作部３３として図２の防災監視盤１に示した画面切替スイッチ５の操作により、通常時にあっては火災画面以外の表示画面の切替えを行うことができるが、火災発生による火災画面の表示中は他の裏画面への切替えを禁止する。
【００３７】
また切替制御部３２は図３に示すように、防災監視盤１の盤内に設置したメンテナンスモードスイッチ８の操作によりメンテナンスモードが設定された場合には、火災画面から他の表示画面への切替禁止を解除し、火災警報表示中の火災画面の表示状態であっても他の裏画面への切替を可能とする。
【００３８】
このメンテナンスモードスイッチ８の操作によるメンテナンスモードの設定は、防災監視盤１を含む防災監視設備の施工時や保守点検時などに使用されるモードであり、疑似的な火災発生による火災画面の表示や疑似的な障害発生による各種障害画面の表示を行っていることから、火災画面の表示による画面切替禁止を解除することで、施工時における火災発生や障害の疑似的な発生に対する画面状態の確認が簡単にできるようにしている。
【００３９】
更に切替制御部３２にあっては、メンテナンスモードスイッチ８を操作してメンテナンスモードを設定すると、内蔵するタイマが起動し、予め設定した一定時間例えば２４時間後に自動的にメンテナンスモードを解除するようにしている。これによって、メンテナンスモードを設定したままスイッチの戻し忘れによって火災画面の最優先表示機能が損なわれてしまうことを防止する。
【００４０】
もちろんＭＰＵで構成される主制御部３０には、ＲＯＭやＲＡＭなどが設けられている。主制御部３０に対しては液晶表示部４と操作部３３が接続される。また主制御部３０に対しては主音響用音声合成部４３が設けられ、その出力にパワーアンプ４４を介して主音響用スピーカ４５を接続している。
【００４１】
また防災監視盤１にはインターホン制御部３４が設けられ、伝送回路３５と通話回路３６の機能が設けられている。このインターホン制御部３４に設けた伝送回路３５は、伝送線２８を介して接続された住戸側の住戸用火災受信機１０及び防災監視盤１に内蔵している中継器４０のアドレスを指定して、制御信号（制御コマンド）やデータの伝送を行うＲ型伝送機能を実現する。
【００４２】
防災監視盤１に設けている中継器４０からは集合住宅の共用部に対し共用部感知器回線４１が引き出され、ここに共用部用火災感知器４２及び終端抵抗４２ａを接続している。なお、共用部の大きさや数により、適宜、中継器４０、共用部用火災感知器４２が設けられる。また伝送回路３５及び通話回路３６に対しては集合玄関機３８が接続される。
【００４３】
このため集合玄関機３８とインターホン制御部３４に接続しているインターホン親機のハンドセット３７との通話、また住戸用火災受信機１０のハンドセット２２との間で集合玄関ドアの開閉制御や通話ができる。
【００４４】
防災監視盤１の主制御部３０に対しては近隣火災警報や全館一斉鳴動を行うための音声合成部４６が設けられ、その出力はパワーアンプ４７を介して回線選択部４９に接続されている。回線選択部４９に対しては共用部に設置された共用部用スピーカ５０ａ〜５０ｎが接続されている。
【００４５】
回線選択部４９の選択制御は、主制御部３０に対し設けた入出力制御部４８により行われる。即ち主制御部３０で住戸用火災受信機１０からの火災確認信号または中継器４０からの火災信号の受信に基づいて火災及び火災発生地区を判断すると、入出力制御部４８に対し例えば近隣火災警報であれば出火階及び直上階の共用部に対する回線選択を指示し、これに基づき入出力制御部４８が出火階及び直上階に対応する回線選択部４９に設けているリレーをオンし、その接点をオンすることでパワーアンプ４７の出力に出火階及び直上階の共用部に設けている共用部スピーカ５０ａ〜５０ｎの内の対応するスピーカを接続する。
【００４６】
同時に主制御部３０は、インターホン制御部３４の伝送回路３５を介して出火階及び直上階の住戸の住戸用火災受信機１０に対し、そのアドレスを指定して音声警報出力制御信号を送り、トランジスタ２３のオンによるリレー２４の駆動で切替リレー接点２４ａ，２４ｂを破線側に切り替える。
【００４７】
更にインターホン制御部３４には、トランジスタ５１、リレー５２、切替リレー接点５２ａで構成される切替回路が設けられ、主制御部３０からの音声警報出力制御信号によりトランジスタ５１を駆動してリレー５２を作動することで、その切替リレー接点５２ａを同じく破線側に切り替え、この状態で音声合成部４６より火災警報の音声メッセージ信号を出力することで、住戸及び共用部のスピーカから火災警報の音声メッセージを出力できるようにしている。
【００４８】
更に防災監視盤１には電源部５３が設けられ、商用ＡＣ１００Ｖにより内部に対する直流電源電圧を作り出している。
【００４９】
次に図４の防災監視設備における動作を説明する。なお、火災警報は近隣火災警報を例にとる。
【００５０】
住戸用火災受信機１０を設置しているある住戸で火災が発生したとすると、住戸用火災感知器２０が発報し、発報信号を火災監視部１７で受信し、火災監視部１７からの火災発報信号を受けて住戸用制御部１１は、その制御部１２により火災表示灯２１を点灯し、併せてドアホン２７に設けている戸外表示器２７ａを点滅する。
【００５１】
また音声合成部１５を作動し、住戸用スピーカ２６より例えば「火災感知器が作動しました。火災を確認してください。」などの音声メッセージを出力させる。
【００５２】
このような住戸用火災受信機１０における火災受信の動作に対し、居住者が火災を確認したならば、図示しない火災確認釦を操作すると、伝送線２８により防災監視盤１に対し火災確認信号が送出される。
【００５３】
また火災確認釦を操作しなくとも、火災受信から予め一定時間例えば２〜５分以内に定めた一定時間を経過すると、自動的に伝送線２８より防災監視盤１に対し火災確認信号を送出する。なお火災受信から一定時間を経過する前に住戸用火災受信機１０に設けられる警報音停止釦や復旧釦を操作すると、防災監視盤１に対する火災確認信号の送出は行われず初期状態に復旧する。
【００５４】
防災監視盤１は、火災発生住戸の住戸用火災受信機１０からの火災確認信号をインターホン制御部３４の伝送回路３５を経由して主制御部３０で受信すると、その主制御部３１の機能により火災及び火災発生住戸を判断すると、主音響用音声合成部４３を作動してパワーアンプ４４により増幅した後、主音響用スピーカ４５より火災発生を示す主音響の音声メッセージ出力、例えば「火事です。火事です。○○階△△△△号室で火災が発生しました。」などの主音響メッセージを出力する。
【００５５】
同時に、液晶表示部４に火災発生住戸の認証として「○○階△△△△号室で火災発生」などの地区名称（火災発生住戸）を表示する。また防災監視盤１において、火災代表表示や住戸警報表示を行わせる。
【００５６】
続いて主制御部３０は火災発生住戸から、その火災発生階の住戸及び直上階の住戸、更に共用部のアドレスを認識し、火災発生階及び直上階の住戸にインターホン制御部３４の伝送回路３５経由で、アドレスを指定して近隣火災警報のために音声警報出力制御信号を送る。
【００５７】
このため火災発生階の住戸及び直上階の住戸にあっては、住戸用火災受信機１０の住戸用制御部１１において防災監視盤１からの音声警報出力制御信号が判別され、第２切替回路におけるリレー２４の作動で切替リレー接点２４ａ，２４ｂを破線側のバイパス線３１に切り替え、また防災監視盤１の第１切替回路においてもインターホン制御部３４が制御出力によりリレー５２を作動し切替リレー接点５２ａを破線側に切り替え、音声合成部４６の出力を通話線２９に接続する。
【００５８】
同時に主制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部用スピーカがパワーアンプ４７の出力に接続される。
【００５９】
このような近隣火災警報の出力制御が済んだ状態で、主制御部３０は音声合成部４６を作動し、近隣火災警報の音声メッセージ信号を出力する。この近隣火災警報の音声メッセージ信号は、第１シグナルとして「フィンフィンフィンフィンフィン」を出した後、警報メッセージとして「火事です。火事です。○○階△△△△号室で火災が発生しました。安全を確認の上避難してください」との出力を行い、最後に「フィフィフィ」との第２シグナルを出し、これを繰り返す。
【００６０】
このような近隣火災警報用の音声合成部４６からの音声信号により、出火階及び直上階の住戸用火災受信機１０の住戸用スピーカ２６、更に出火階及び直上階の共用部に設けている共用部スピーカより、近隣火災警報の音声メッセージの出力が行われる。なお火災警報時にあっては通話線２９は音声警報のために使用されることから、インターホン機能は停止されることになる。
【００６１】
一方、共用部での火災発生に対しては中継器４０で共用部用火災感知器４２からの発報信号を受信して火災信号をインターホン制御部３４の伝送回路３５経由で監視制御部３０に出力し、この場合にも住戸用火災受信機１０からの火災確認信号を受信した場合と同様にして、出火場所を共用部と判断した火災警報制御が行われる。
【００６２】
図５は図４の防災監視盤１の主制御部３０に設けている切替制御部３２による画面切替処理を示した説明図である。
【００６３】
まず通常の監視状態にあっては、液晶表示部４に監視画面５８を表示している。この監視画面においては、監視中であることのみが表示されている。この状態で住戸もしくは共用部で火災が発生して火災及び火災発生場所を特定すると、火災画面６０に切り替わる。このとき発報表示灯５４が点灯して発報表示画面が切替表示されていることを表示する。また火災画面６０に切り替わった際に更に住戸警報、盤障害、更には回線障害が存在して住戸警報画面６１、盤障害画面６２、更に回線障害画面６３が裏画面として存在していたとする。
【００６４】
この時、裏画面として存在する住戸警報画面６１、盤障害画面６２及び回線障害画面６３に対応して、住戸警報表示灯５５、盤障害表示灯５６、及び回線障害表示灯５７が点滅し、裏画面の存在を示している。
【００６５】
このような火災画面６０の表示状態にあっては、図２の防災監視盤１に設けている画面切替スイッチ５を押しても裏画面としての住戸警報画面６１、盤障害画面６２及び回線障害画面６３への切替えは禁止され、優先的に火災画面６０の表示が維持される。このため火災画面６０の表示中に誤ってもしくは故意に画面切替スイッチ５を操作しても、他の裏画面に切り替って火災画面６０が消えることがないため、火災状況の把握が損なわれることはない。
【００６６】
なお本発明の実施形態にあっては、火災画面６０、住戸警報画面６１、盤障害画面６２及び回線障害画面６３については、液晶表示部４の画面を上下に２つに分け、上半分の画面領域に火災などの発生場所の地区名称を表示し、下半分の画面領域に火災や障害に対する対処のガイダンスメッセージや必要とするスイッチ操作などを表示している。
【００６７】
そして、上半分の画面は予め同時に表示できる警報などの情報の個数が決められており、その個数以上の情報が存在する場合は、図２のオーバーフロー灯６ａを点灯し、シフトスイッチ６の操作で表示されていない情報を表示することができる。また、火災画面６０以外の画面を表示中に、火災を検出したときは、強制的に火災画面６０に切り替わり火災発生場所を表示して火災表示を最優先としている。
【００６８】
図６は図３の盤内に設けているメンテナンスモードスイッチ８を操作して切替制御部３２にメンテナンスモードを設定した際の画面切替処理の説明図である。このメンテナンスモードにおける画面切替処理にあっては、監視画面５８の状態で例えば施工時などの動作確認のために火災感知器を試験発報させて疑似火災を発生させると火災画面６０に切り替わり、画面上半分に火災発報した地区名称が表示される。このとき右側に示す発報表示灯５４が点灯して火災警報を表示する画面が液晶表示部４に表示されていることを示す。
【００６９】
この火災画面６０の表示状態で住戸警報画面６１、盤障害画面６２、回線障害画面６３がそれぞれ疑似的な障害発生に対応して裏画面として存在していた場合には、火災画面６０の表示状態で住戸警報表示灯５５、盤障害表示灯５６及び回線障害表示灯５７のそれぞれが裏画面の存在を示すために点滅している。
【００７０】
したがって、この裏画面を見たい場合には図２の防災監視盤１に設けている画面切替スイッチ５を押すことで、例えば火災画面６０から住戸警報画面６１に切り替わり、もう一度押すと住戸警報画面６１から盤障害画面６２に切り替わり、もう一度押すと盤障害画面６２から回線障害画面６３に切り替わり、再度押すと回線障害画面６３から最初の火災画面６０に戻るという画面切替えを必要に応じて行うことができる。
【００７１】
なお、画面切替スイッチ５の操作による画面切替に応じて、表示灯５４〜５７点灯が切り替わり、液晶表示部４に表示している画面の種別を識別できるようにしている。この表示灯５４〜５７それぞれにおいて、表示する警報情報がない場合や裏画面のときは、表示灯５４〜５７は消灯している。当然、情報がない場合でも画面を表示することができる。
【００７２】
図７は図５の通常時及び図６のメンテナンスモードにおける画面切替えを行う主制御部３０の切替制御部３２による画面切替処理のフローチャートである。この画面切替処理にあっては、ステップＳ１でメンテナンスモードか否かチェックしており、メンテナンスモードでない場合はステップＳ２に進み、画面切替スイッチ５のオンをチェックする。
【００７３】
スイッチオンを判別した場合、通常の監視状態にあってはステップＳ３に進み、火災画面による火災表示中か否かチェックする。火災表示中であれば、ステップＳ４で画面切替スイッチによる入力をキャンセルし、ステップＳ５で画面切替スイッチの操作に対するエラー音を出力して火災画面表示を維持し、処理を終了する。ステップＳ３で火災画面による火災表示中でなければ、ステップＳ８に進み、画面を裏画面（現在表示されている画面の次の画面）に切り替えて表示する。
【００７４】
一方、ステップＳ１でメンテナンスモードが判別された場合には、ステップＳ６に進み、予め定めた一定時間例えば２４時間経過したか否かチェックする。２４時間未満であればステップＳ７に進み、画面切替スイッチ５のオンをチェックし、スイッチオンを判別するとステップＳ８に進み、裏画面に対する画面切替えを行って表示する。
【００７５】
このためメンテナンスモードの際には、ステップＳ３の火災表示中か否かによる表示の切替えと画面切替スイッチに対する入力キャンセルは行われず、火災画面の存在に関わらず常に画面切替スイッチ５の操作を有効として裏画面の切替えを行う。ステップＳ６でメンテナンスモードの設定から２４時間を経過すると、ステップＳ９に進み、自動的にメンテナンスモードを解除して通常の監視モードに戻る。
【００７６】
図８は図４の防災監視盤１の主制御部３０に設けている切替制御部３０の他の実施形態による画面切替えの説明図である。この図８の実施形態にあっては、図２の防災監視盤１に設けている画面切替スイッチ５による裏画面への切替えは、火災画面の存在の有無に関わらず有効として切り替える。
【００７７】
即ち、通常監視画面５８で火災が発生すると火災画面６０に切り替わり、この状態で裏画面として住戸警報画面６１、盤障害画面６２及び回線障害画面６３が、画面切替スイッチ５の操作で順番に切り替えることができる。
【００７８】
これに加え図８の実施形態にあっては、新たに火災画面確認スイッチ７０を設けている。
【００７９】
火災画面確認スイッチ７０は火災画面６が裏画面となっている状態、例えば住戸警報画面６１、盤障害画面６２または回線障害画面６３が液晶表示部に表示されている状態でスイッチを押すと、スイッチを押している間、火災画面６０に切り替わって表示する。火災画面確認スイッチ７０を離すと元の画面に戻る。
【００８０】
このため、火災発生時において火災画面以外の他の裏画面に切り替えた状態にあっても、火災画面確認スイッチ７０を押すだけで割込み的に火災画面６０に戻ってスイッチを押している間、表示し続け、これによって火災画面６０が裏画面として存在していても、必要なときにはいつでも火災画面６０に戻して火災状況を確認することができる。
【００８１】
なお、火災画面確認スイッチ７０の操作を押し続けているとき火災画面６０を表示するのではなく、火災画面確認スイッチ７０を押すと所定時間継続して火災画面を表示するようにしても良い。
【００８２】
また上記の実施形態は住戸及び共用部の火災を監視する集合住宅の火災報知設備の防災監視盤を例にとるものであったが、本発明はこれに限定されず、火災や障害表示に同じ液晶表示器を使用して画面切替えにより表示する適宜の防災監視設備の防災監視盤にそのまま適用することができる。
【００８３】
また本発明はその目的と利点を損なわない適宜の変形を含み、更に上記の実施形態に示した数値による限定は受けない。
【符号の説明】
【００８４】
１：防災監視盤
２：火災監視部
３：インターホン親機
４：液晶表示部
５：画面切替スイッチ
６：シフトスイッチ
７：オーバーフロー灯
８：メンテナンスモードスイッチ
９：メンテナンスモード灯
１０：住戸用火災受信機
１１：住戸用制御部
１２：制御部
１３，３５：伝送回路
１４，３６：通話回路
１５：住戸用音声合成部
１６：アドレス設定部
１７：火災監視部
１８：住戸感知器回線
２０：住戸用火災感知器
２１：火災表示灯
２２，３７：ハンドセット
２３，５１：トランジスタ
２４，５２：リレー
２４ａ，２４ｂ，５２ａ：切替リレー接点
２５，４３，４７：パワーアンプ
２６：住戸用スピーカ
２７：ドアホン
２７ａ：戸外表示器
２８：伝送線
２９：通話線
２９ａ：バイパス線
３０：主制御部
３１：監視制御部
３２：切替制御部
３３：操作部
３４：インターホン制御部
３８：玄関集合機
４０：中継器
４１：共用部感知器回線
４２：共用部用火災感知器
４３：主音響警報用音声合成部
４５：主音響警報用スピーカ
４６：近隣警報用音声合成部
４８：入出力制御部
４９：回線選択部
５０：共用部スピーカ
５３：電源部
５４：発報表示灯
５５：住戸警報表示灯
５６：盤障害表示灯
５７：回線障害表示灯
５８：監視画面
６０：火災画面
６１：住戸警報画面
６２：盤障害画面
６４：回線障害画面
７０：火災画面確認スイッチ
【図１】
2011008808.tif 000003
【図２】
2011008808.tif 000004
【図３】
2011008808.tif 000005
【図４】
2011008808.tif 000006
【図５】
2011008808.tif 000007
【図６】
2011008808.tif 000008
【図７】
2011008808.tif 000009
【図８】
2011008808.tif 000010
【手続補正書】
【提出日】平成22年9月6日(2010.9.6)
【手続補正１】
【補正対象書類名】明細書
【補正対象項目名】０００３
【補正方法】変更
【補正の内容】
【０００３】
また、液晶表示器には火災警報画面だけでなく、システム障害などの障害警報画面など、各種の警報表示、情報表示や設定表示画面を任意に切替えて表示することができる。
【手続補正２】
【補正対象書類名】明細書
【補正対象項目名】００１７
【補正方法】変更
【補正の内容】
【００１７】
なお、火災画面は火災信号を受信して火災を判定したときに、その発生場所などを表示する画面で、住戸警報画面は住戸用火災受信機からガス漏れなどの警報を受信した場合の警報表示画面である。また、盤障害画面は、防災監視盤１内部の回路などの障害が発生した場合の障害警報画面で、回線障害画面はシステム全体における伝送障害などの障害を表示する障害表示画面である。また、各表示灯５４〜５７が現在液晶表示部４に表示されている画面種別に合わせて点灯して画面表示種別を識別できるようにしている。
【手続補正３】
【補正対象書類名】明細書
【補正対象項目名】００１９
【補正方法】変更
【補正の内容】
【００１９】
画面切替スイッチ５の右側にはシフトスイッチ６が設けられ、その左側にオーバーフロー灯６ａを設けている。オーバーフロー灯６ａは、例えば火災画面を液晶表示部４に表示している状態で火災発報が複数あって１画面中に表示可能な警報表示数以上となり、火災警報表示が画面からオーバーフローしている場合に点灯し、画面に表示しきれないことを知らせる。
【手続補正４】
【補正対象書類名】明細書
【補正対象項目名】００２０
【補正方法】変更
【補正の内容】
【００２０】
このためオーバーフロー灯６ａが点灯している場合にはシフトスイッチ６を押すことで、液晶表示部４の画面上に発報情報などをシフト表示させることができる。このオーバーフロー灯６ａは、切替表示されている画面表示のオーバーフロー状況にあわせて必要に応じて点灯する。
【手続補正５】
【補正対象書類名】明細書
【補正対象項目名】００２２
【補正方法】変更
【補正の内容】
【００２２】
このメンテナンスモードにおけるスイッチ注意灯７の点滅周期は、例えばその下側に設けている地区音響一時停止のためのスイッチや音響停止のためのスイッチを押した場合の点滅周期に比べ、より速い周期で点滅させるようにしてメンテナンスモードの設定を他のスイッチ操作から区別して表示している。
【手続補正６】
【補正対象書類名】明細書
【補正対象項目名】００２９
【補正方法】変更
【補正の内容】
【００２９】
感知器回線１８には住戸内の火災を監視する住戸用火災感知器２０が接続され、また終端には終端抵抗１９が接続されている。住戸用制御部１１の構成の一部又は全部はＭＰＵ（マイクロプロセッサユニット）の制御機能で実現することができる。
【手続補正７】
【補正対象書類名】明細書
【補正対象項目名】００３８
【補正方法】変更
【補正の内容】
【００３８】
このメンテナンスモードスイッチ８の操作によるメンテナンスモードの設定は、防災監視盤１を含む防災監視設備の施工時や保守点検時などに使用されるモードであり、疑似的な火災発生による火災画面の表示や疑似的な障害発生による各種障害画面の表示を行っていることから、火災画面の表示による画面切替禁止を解除することで、施工時や保守点検時における火災発生や障害の疑似的な発生に対する画面状態の確認が簡単にできるようにしている。
【手続補正８】
【補正対象書類名】明細書
【補正対象項目名】００５４
【補正方法】変更
【補正の内容】
【００５４】
防災監視盤１は、火災発生住戸の住戸用火災受信機１０からの火災確認信号をインターホン制御部３４の伝送回路３５を経由して主制御部３０で受信すると、その監視制御部３１の機能により火災及び火災発生住戸を判断すると、主音響用音声合成部４３を作動してパワーアンプ４４により増幅した後、主音響用スピーカ４５より火災発生を示す主音響の音声メッセージ出力、例えば「火事です。火事です。○○階△△△△号室で火災が発生しました。」などの主音響メッセージを出力する。
【手続補正９】
【補正対象書類名】明細書
【補正対象項目名】００５７
【補正方法】変更
【補正の内容】
【００５７】
このため火災発生階の住戸及び直上階の住戸にあっては、住戸用火災受信機１０の住戸用制御部１１において防災監視盤１からの音声警報出力制御信号が判別され、リレー２４の作動で切替リレー接点２４ａ，２４ｂを破線側のバイパス線２９ａに切り替え、また防災監視盤１においてもインターホン制御部３４が制御出力によりリレー５２を作動し切替リレー接点５２ａを破線側に切り替え、音声合成部４６の出力を通話線２９に接続する。
【手続補正１０】
【補正対象書類名】明細書
【補正対象項目名】００６３
【補正方法】変更
【補正の内容】
【００６３】
まず通常の監視状態にあっては、液晶表示部４に監視画面５８を表示している。この監視画面においては、監視中であることのみが表示されている。この状態で住戸もしくは共用部で火災が発生して火災及び火災発生場所を特定すると、火災画面６０に切り替わる。このとき発報表示灯５４が点灯して火災警報を表示する画面が切替表示されていることを表示する。また火災画面６０に切り替わった際に更に住戸警報、盤障害、更には回線障害が存在して住戸警報画面６１、盤障害画面６２、更に回線障害画面６３が裏画面として存在していたとする。
【手続補正１１】
【補正対象書類名】明細書
【補正対象項目名】００７１
【補正方法】変更
【補正の内容】
【００７１】
なお、画面切替スイッチ５の操作による画面切替に応じて、表示灯５４〜５７の点灯が切り替わり、液晶表示部４に表示している画面の種別を識別できるようにしている。この表示灯５４〜５７それぞれにおいて、表示する警報情報がない場合や裏画面のときは、表示灯５４〜５７は消灯している。当然、情報がない場合でも画面を表示することができる。
【手続補正１２】
【補正対象書類名】明細書
【補正対象項目名】００７７
【補正方法】変更
【補正の内容】
【００７７】
即ち、通常監視画面５８で火災が発生すると火災画面６０に切り替わり、この状態で裏画面として住戸警報画面６１、盤障害画面６２及び回線障害画面６３を、画面切替スイッチ５の操作で順番に切り替えることができる。
【手続補正１３】
【補正対象書類名】図面
【補正対象項目名】図４
【補正方法】変更
【補正の内容】
【図４】
2011008808.tif 000011
【手続補正１４】
【補正対象書類名】図面
【補正対象項目名】図７
【補正方法】変更
【補正の内容】
【図７】
2011008808.tif 000012